(57)【要約】【課題】地中に速やかに貫入できると共に、支持力を向上させた拡底支持板付き回転埋設杭を提供するものである。【解決手段】鋼管２の下端外周に、底面が凸曲面で形成された略扇形状をなす複数枚の拡底支持板３を、その凸曲面が下側に位置するように、間隔を設けて鋼管２の軸方向に対して傾斜して突設すると共に、拡底支持板３の下側縁部に掘削刃５を形成すると共に、隣接する拡底支持板３、３の間を、土６を上方に排出する排土通路７として、鋼管２に取付けた拡底支持板３を回転させることにより、拡底支持板３の下側縁部に形成した掘削刃５で土６を掘削して前記排土通路７から上方に排出しながら所定の深さの地中８に埋設して、パラボラ状に配置された拡底支持板３で支持するようにしたものである。【選択図】  図１
2006265951.tif 000002
【特許請求の範囲】
【請求項１】
鋼管の下端外周に、底面が凸曲面で形成された略扇形状をなす複数枚の拡底支持板を、その凸曲面が下側に位置するように、間隔を設けて鋼管の軸方向に対して傾斜して突設し、傾斜した拡底支持板の下側縁部に掘削刃を形成すると共に、隣接する拡底支持板の間を、土を上方に排出する排土通路として、鋼管に取付けた拡底支持板を回転させることにより、拡底支持板の下側縁部に形成した掘削刃で土を掘削して前記排土通路から上方に排出しながら所定の深さの地中に埋設して、パラボラ状に配置された拡底支持板で支持するようにしたことを特徴とする拡底支持板付き回転埋設杭。
【請求項２】
拡底支持板を、２枚または３枚若しくは４枚、鋼管の下端外周に取付けたことを特徴とする請求項１記載の拡底支持板付き回転埋設杭。
【請求項３】
拡底支持板の上面に、補強リブを設けたことを特徴とする請求項１記載の拡底支持板付き回転埋設杭。
【請求項４】
請求項１において、更に鋼管の下端を閉塞し、ここにブロック状の掘削刃を突設したことを特徴とする拡底支持板付き回転埋設杭。
【発明の詳細な説明】
【技術分野】
【０００１】
本発明は、支持力を向上させた拡底支持板付き回転埋設杭の改良に関するものである。
【背景技術】
【０００２】
一般に、埋立地や盛り土した地盤の弱い土地に、木造住宅や鉄骨低層建築を建てる場合には、コンクリート基礎の形状に沿って所定の間隔で、予め地中に杭を打ち込む杭地業を行なってからコンクリート基礎を施工している。
【０００３】
この杭地業としては従来から種々の方法が行なわれているが、例えば杭打工法は、コンクリート杭や鋼管杭を地中にハンマーで打設する工法で、打設時の振動や騒音により近隣に建物があるところでは施工できない。
【０００４】
このため騒音の発生がない杭として、鋼管の先端にスクリュー羽根を取付けて、これを回転させながら埋設するスクリューパイル（例えば特許文献１）があるが、スクリュー羽根の面積が大きく取れず、軟弱な地盤に埋設した時に大きな支持力を得られない問題があった。また鋼管の下端外周に、上縁部の直径が大きく下縁部の直径が小さい截頭円錐状の拡底支持板を取付け、先端に三角形の掘削刃を取付けた拡底鋼管も提案されている（特許文献２）。
【０００５】
しかしながら、この截頭円錐状の拡底支持板を取付けた拡底鋼管は、截頭円錐状の下部開口部が狭いため、掘削した土を上方に速やかに排出できず、地中に深く埋設できない欠点があった。
【特許文献１】特開２００４−３３２２３４
【特許文献２】特許第３５７５００５号の図８
【発明の開示】
【発明が解決しようとする課題】
【０００６】
本発明は上記問題を改善し、地中に速やかに埋設できると共に、支持力を向上させた拡底支持板付き回転埋設杭を提供するものである。
【課題を解決するための手段】
【０００７】
本発明の請求項１記載の拡底支持板付き回転埋設杭は、鋼管の下端外周に、底面が凸曲面で形成された略扇形状をなす複数枚の拡底支持板を、その凸曲面が下側に位置するように、間隔を設けて鋼管の軸方向に対して傾斜して突設し、傾斜した拡底支持板の下側縁部に掘削刃を形成すると共に、隣接する拡底支持板の間を、土を上方に排出する排土通路として、鋼管に取付けた拡底支持板を回転させることにより、拡底支持板の下側縁部に形成した掘削刃で土を掘削して前記排土通路から上方に排出しながら所定の深さの地中に埋設して、パラボラ状に配置された拡底支持板で支持するようにしたことを特徴とするものである。
【０００８】
本発明の請求項２記載の拡底支持板付き回転埋設杭は、拡底支持板を、２枚または３枚若しくは４枚、鋼管の下端外周に取付けたことを特徴とするものである。
【０００９】
本発明の請求項３記載の拡底支持板付き回転埋設杭は、拡底支持板の上面に、補強リブを設けたことを特徴とするものである。また本発明の請求項４記載の拡底支持板付き回転埋設杭は、更に鋼管の下端を閉塞し、ここにブロック状の掘削刃を突設したことを特徴とするものである。
【発明の効果】
【００１０】
本発明に係る請求項１記載の拡底支持板付き回転埋設杭によれば、鋼管の下端外周に、底面が凸曲面で形成された略扇形状をなす複数枚の拡底支持板を、その凸曲面が下側に位置するように、間隔を設けて鋼管の軸方向に対して傾斜して突設し、拡底支持板の下側縁部に掘削刃を形成すると共に、隣接する拡底支持板の間に、排土通路を形成したので、掘削刃の回転により芯ずれすることなく効率よく土を掘削して、排土通路から上方に排土することにより貫入速度を速めることができる。更に複数枚の拡底支持板は全体として下側に凸曲面を形成したパラボラ状に配置されているので支持力を向上させることができる。
【００１１】
また請求項２記載の拡底支持板付き回転埋設杭によれば、拡底支持板を、２枚または３枚若しくは４枚を鋼管の下端外周に取付けたので、全体として下側に凸曲面を形成したパラボラ状に配置されると共に、芯ずれを防止して土の掘削を効率よく行なうことができる。
【００１２】
また請求項３記載の拡底支持板付き回転埋設杭によれば、拡底支持板の上面に、補強リブを設けたので拡底支持板の強度を向上させることができる。
【００１３】
また請求項４記載の拡底支持板付き回転埋設杭によれば、更に鋼管の下端を閉塞し、ここにブロック状の掘削刃を突設し、この掘削刃が回転して土をほぐしてから、拡底支持板の掘削刃で掻き取って上方に送るので、速やかに貫入することができる。
【発明を実施するための最良の形態】
【００１４】
以下本発明の実施の一形態を図１ないし図３を参照して詳細に説明する。図において１は拡底支持板付き回転埋設杭を示すもので、これは鋼管２の下端外周に、４枚の拡底支持板３を取付けたものである。この拡底支持板３は、底面が凸曲面で、上面が凹曲面で形成された略扇形状をなすもので、その凸曲面が下側に位置するように、鋼管２の外周に間隔を設けて、鋼管２の軸方向に対して傾斜して突設され、全体としてパラボラ状に形成されている。
【００１５】
また略扇形をなす拡底支持板３の傾斜した下側縁部には掘削刃５が形成され、各拡底支持板３の中心側は図２に示すように、鋼管２の下端で一体に連結されている。また傾斜して突設された各拡底支持板３の隣接する拡底支持板３、３の間には図３に示すように、土６を上方に排出する排土通路７が斜めに形成されている。
【００１６】
上記構成の拡底支持板付き回転埋設杭１を現場で埋設する場合、例えばバックホーのアームにウエイトを設けた油圧モータを取付け、回転埋設杭１の拡底支持板３を下にして、上端を押えて垂直に支持する。次にウエイトで荷重をかけて油圧モータにより回転埋設杭１を回転させながら地中８に埋め込んでいく。回転埋設杭１の下端には、４枚の拡底支持板３が等間隔に突設され、その下側縁部に掘削刃５が形成されているので、これが回転して図３に示すように土６を掻き取り、掘削して土６は、排土通路７を通して斜め上方に排出されていく。
【００１７】
このようにして所定の深さまで埋設された回転埋設杭１は、図３に示すように４枚の拡底支持板３が全体として下側に凸曲面を形成したパラボラ状に形成されているので、支持力が大きく沈下を防止することができる。これは拡底支持板３の形状による支持力の相違について検討した結果、拡底支持板の底面が水平の場合や、下側にＶ形に突出している場合、あるいは下側が凹曲面のパラボラ状の場合に比べて、下側に凸曲面を形成したパラボラ状の場合に最も支持力が向上することを見出したものである。
【００１８】
従って全体として下側に凸曲面を形成したパラボラ状に形成するように４枚の拡底支持板３を配置したので支持力が向上すると共に、４枚の掘削刃５で効率よく土６を掘削して、排土通路７から上方に排土することにより、芯ずれすることなく速やかに貫入することができる。
【００１９】
図４および図５は、本発明の異なる他の実施の形態を示すもので、この回転埋設杭１は、鋼管２の下端外周に、底面が凸曲面で、上面が凹曲面で形成された略扇形状をなす３枚の拡底支持板３を、その凸曲面が下側に位置するように、鋼管２の外周に間隔を設けて、鋼管２の軸方向に対して傾斜して突設し、全体としてパラボラ状に形成したものである。また略扇形をなす拡底支持板３の傾斜した下側縁部には掘削刃５が形成され、各拡底支持板３の中心側は図５に示すように、鋼管２の下端で一体に連結されている。この回転埋設杭１も速やかに貫入できると共に、支持力を向上させることができる。
【００２０】
図６は、本発明の異なる他の実施の形態を示すもので、この回転埋設杭１は、鋼管２の下端外周に略扇形状をなす３枚の拡底支持板３を、その凸曲面が下側に位置するように、鋼管２の外周に間隔を設けて鋼管２の軸方向に対して傾斜して突設し、全体としてパラボラ状に形成したものである。また鋼管２の下端には閉塞板９を取付けて、ここ半円ブロック状の掘削刃１０が３枚突設されている。
【００２１】
この回転埋設杭１では、鋼管２の下端に突設した半円ブロック状の掘削刃１０が回転して土６をほぐし、更に拡底支持板３の掘削刃で掻き取って上方に送るので速やかに貫入することができる。なおブロック状の掘削刃１０は、三角形や五角形など他の形状のものでも良い。
【００２２】
図７は、本発明の異なる他の実施の形態を示すもので、この回転埋設杭１は、鋼管２の下端外周に略扇形状をなす２枚の拡底支持板３を、その凸曲面が下側に位置するように、鋼管２の外周に間隔を設けて鋼管２の軸方向に対して傾斜して突設し、全体としてパラボラ状に形成したものである。
【００２３】
図８は、本発明の異なる他の実施の形態を示すもので、扇形状をなす拡底支持板３の上面に円弧状のリブ１１を複数形成したもので、拡底支持板３の強度を向上させることができる。またリブ１１を拡底支持板３の底面に形成したものでも良い。
【００２４】
なお回転埋設杭１は、鋼板をプレス成型した拡底支持板３を、鋼管２の下端外周に溶接して取付けた構造でも良く、また鋼管２の下端部分と複数枚の拡底支持板３を一体に鋳造して成型し、これを鋼管２の下端に溶接したものでも良い。また拡底支持板３の枚数が５枚以上であると、隣接する拡底支持板３、３間の排土通路７が狭くなって排出効率が低下するので２〜４枚が好適である。
【産業上の利用可能性】
【００２５】
なお本発明の拡底支持板付き回転埋設杭は、住宅やビルの基礎杭としてだけではなく、道路標識や広告塔の支柱、あるいはコンクリート擁壁の基礎杭などに広く使用することができる。
【図面の簡単な説明】
【００２６】
【図１】本発明の実施の一形態による４枚の拡底支持板を取付けた回転埋設杭の斜視図である。
【図２】図１の回転埋設杭を示す底面図である。
【図３】図１の拡底支持板付き回転埋設杭を、地中に貫入している状態を示す説明図である。
【図４】本発明の他の実施の形態による３枚の拡底支持板を取付けた回転埋設杭の斜視図である。
【図５】図４の回転埋設杭を示す底面図である。
【図６】本発明の異なる他の実施の形態による鋼管の下端に半円ブロック状の掘削刃を突設した回転埋設杭を斜め下方から見た斜視図である。
【図７】本発明の他の実施の形態による２枚の拡底支持板を取付けた回転埋設杭の斜視図である。
【図８】本発明の他の実施の形態によるリブを形成した拡底支持板の斜視図である。
【符号の説明】
【００２７】
１    拡底支持板付き回転埋設杭                              
２    鋼管                                                  
３    拡底支持板                                            
５    掘削刃                                                
６    土                                                    
７    排土通路                                              
８    地中                                                  
９    閉塞板                                                
１０  半円ブロック状の掘削刃                                
１１  リブ                                                  
【図１】
2006265951.tif 000003
【図２】
2006265951.tif 000004
【図３】
2006265951.tif 000005
【図４】
2006265951.tif 000006
【図５】
2006265951.tif 000007
【図６】
2006265951.tif 000008
【図７】
2006265951.tif 000009
【図８】
2006265951.tif 000010